(57)【特許請求の範囲】
【請求項１】
ゴム風船本体の口部に取り付けられる飛翔ゴム風船のノズルにおいて、ゴム風船本体の口部の凸脈状部が嵌まり込む凹部が形成された略円筒形状の第１ノズル部材と、この第１ノズル部材に外嵌される略円筒形状の第２ノズル部材とを具備しており、第２ノズル部材は、第１ノズル部材に外嵌されると、第２ノズル部材の外周壁の先端が前記凹部を覆うようになっており、第１ノズル部材と第２ノズル部材とには、第１ノズル部材と第２ノズル部材とで囲まれた空間の容積を変化させることができる容積変化機構が設けられていることを特徴とする飛翔ゴム風船のノズル。
【請求項２】
前記容積変化機構は、第１ノズル部材の外周壁に設けられた突脈と、第２ノズル部材の内周壁に設けられた複数の溝部とを有しており、前記第１ノズル部材に第２ノズル部材を嵌め込むと、前記複数の溝部の間に突脈が嵌まり込み、突脈の嵌まり込む位置を変更することで、前記空間の容積を変化させることを特徴とする請求項１記載の飛翔ゴム風船のノズル。
【請求項３】
前記容積変化機構は、第１ノズル部材の外周壁に設けられた雄ねじ部と、第２ノズル部材の内周壁に設けられた雌ねじ部とを有しており、前記第１ノズル部材に第２ノズル部材をねじ込むことで、前記空間の容積を変化させることを特徴とする請求項１記載の飛翔ゴム風船のノズル。
【請求項４】
前記第２ノズル部材の外周壁の外周側には、突脈部が形成されていることを特徴とする請求項１、２又は３記載の飛翔ゴム風船のノズル。
【発明の詳細な説明】
【技術分野】
【０００１】
本発明は、内部からの空気噴射によって空中を飛行する飛翔ゴム風船のノズルに関する。
【背景技術】
【０００２】
近年、プロ野球の球場観戦において一斉にゴム風船を上空へ飛ばして応援することが流行している。このゴム風船は、先端側がやや膨らんだ棒状のゴム風船本体と、このゴム風船本体の口部に取り付けられる合成樹脂からなるノズルとから構成されている。かかるゴム風船は、ノズルから空気を吹き込んで膨らませてから手放すと、内部からの空気噴射を推進力として飛翔するととにも、ノズルが笛になって通過する空気によってピーという音を発する。
【０００３】
かかる飛翔ゴム風船のノズルとしては、特許第５６７１５１３号記載の『飛行ゴム風船』がある。
【０００４】
【特許文献１】特許第５６７１５１３号公報
【発明の開示】
【発明が解決しようとする課題】
【０００５】
しかしなから、上述の特許第５６７１５１３号公報記載の『飛行ゴム風船』は、発せられる音が一定であり、変化させることはできなかった。
【０００６】
本発明は、上記事情に鑑みて創案されたもので、飛翔する際に発する音の高さを変えることができるようにした飛翔ゴム風船のノズルを提供することを目的としている。
【課題を解決するための手段】
【０００７】
本発明に係る飛翔ゴム風船のノズルは、ゴム風船本体の口部に取り付けられる飛翔ゴム風船のノズルであって、ゴム風船本体の口部の凸脈状部が嵌まり込む凹部が形成された略円筒形状の第１ノズル部材と、この第１ノズル部材に外嵌される略円筒形状の第２ノズル部材とを備えており、第２ノズル部材は、第１ノズル部材に外嵌されると、第２ノズル部材の外周部の先端が前記凹部を覆うようになっており、第１ノズル部材と第２ノズル部材とには、第１ノズル部材と第２ノズル部材とで囲まれた空間の容積を変化させることができる容積変化機構が設けられている。
【０００８】
前記容積変化機構は、第１ノズル部材の外周壁に設けられた突脈と、第２ノズル部材の内周壁に設けられた複数の溝部とを有しており、前記第１ノズル部材に第２ノズル部材を嵌め込むと、前記複数の溝部の間に突脈が嵌まり込み、突脈の嵌まり込む位置を変更することで、前記空間の容積を変化させるように構成されている。
【０００９】
また、前記容積変化機構は、第１ノズル部材の外周壁に設けられた雄ねじ部と、第２ノズル部材の内周壁に設けられた雌ねじ部とを有しており、前記第１ノズル部材に第２ノズル部材をねじ込むことで、前記空間の容積を変化させるように構成されることも可能である。
【００１０】
さらに、前記第２ノズル部材の外周壁の外周側には、突脈部が形成されているとよい。
【発明の効果】
【００１１】
本発明に係る飛翔ゴム風船のノズルは、容積変化機構によって第１ノズル部材と第２ノズル部材とで囲まれた空間の容積を変化させることができるので、飛翔の際に発する音の高さを容易に変更することができる。
【図面の簡単な説明】
【００１２】
【図１】本発明の実施の形態に係る飛翔ゴム風船のノズルをゴム風船本体に取り付けた状態を示す概略的半断面図である。
【図２】本発明の実施の形態に係る飛翔ゴム風船のノズルを構成する第１ノズル部材の概略的断面図である。
【図３】本発明の実施の形態に係る飛翔ゴム風船のノズルを構成する第２ノズル部材の概略的断面図である。
【図４】本発明の実施の形態に係る飛翔ゴム風船のノズルのゴム風船本体への取付位置を示す概略的正面図である。
【図５】本発明の実施の形態に係る飛翔ゴム風船のノズルを付けたゴム風船本体に空気を吹き込む際に使用する吹込み部材の一例を示す概略的半断面図である。
【発明を実施するための形態】
【００１３】
本発明の実施の形態に係る飛翔ゴム風船のノズル１０００は、ゴム風船本体５００の口部５１０に取り付けられる飛翔ゴム風船のノズルであって、ゴム風船本体５００の口部５１０の凸脈状部５１１が嵌まり込む凹部１１０が形成された略円筒形状の第１ノズル部材１００と、この第１ノズル部材１００に外嵌される略円筒形状の第２ノズル部材２００とを備えており、第２ノズル部材２００は、第１ノズル部材１００に外嵌されると、第２ノズル部材２００の外周壁２１０の先端が前記凹部１１０を覆うようになっており、第１ノズル部材１００と第２ノズル部材２００とには、第１ノズル部材１００と第２ノズル部材２００とで囲まれた空間Ｓの容積を変化させることができる容積変化機構３００が設けられている。
【００１４】
本発明の実施の形態に係る飛翔ゴム風船のノズル１０００が取り付けられるゴム風船本体５００は、図４に示すように、先端側がやや膨らんだ棒状に形成されている。このゴム風船本体５００の後端は口部５１０として開いており、この口部５１０に飛翔ゴム風船のノズル１０００が取り付けられるものである。このノズル５２０が取り付けられるゴム風船本体５００の口部５１０には、他の部分より厚めになった凸脈状部５１１が形成されている。
【００１５】
前記第１ノズル部材１００は、合成樹脂で略円筒形状に形成されており、図１や図２に示すように、その外周部１２０の先端側に凹部１１０が形成されている。この凹部１１０は、ゴム風船本体５００の前記凸脈状部５１１が嵌まり込む部分である。また、この第１ノズル部材１００の外周面１２０の中腹部には、第１側鋸歯状部１３０が形成されている。この第１側鋸歯状部１３０は、後述する第２側鋸歯状部２３１とともに容積変化機構３００を構成するものである。
【００１６】
また、この第１ノズル部材１００の後端側、すなわち第２ノズル本体２００が取り付けられる側は開放されている。さらに、この第１ノズル部材１００の先端側には、開口１４０が開設されている。
【００１７】
前記第２ノズル部材２００は、合成樹脂で略有底円筒形状にされており、図１や図３に示すように、その底部２２０には噴射孔となる開口２２１が開設されている。また、第２ノズル部材２００の外周壁２１０の内周２１１側には、第２鋸歯状部２３１が形成されている。この第２鋸歯状部２３１は、上述した第１鋸歯状部１３０とともに容積変化機構３００を構成するものである。
【００１８】
また、この第２ノズル部材２００の外周壁２１０の外周２１２側には、一条の突脈部２１３が突出形成されている。
この突脈部２１３は、空気が吹き込まれたゴム風船本体５００を保持しておく際に、親指で開口２２１を閉塞し、人指し指と中指とを引っかけておく部分である。また、後述する専用の吹込み部材６００を用いてゴム風船本体５００に空気を吹き込んだ場合は、吹込み部材６００からゴム風船本体５００を外す際に押す際の引っ掛かりとなる部分である。
【００１９】
かかる第２ノズル部材２００は、第１ノズル部材１００の内側に嵌まり込むことができるように設定されている。しかも、第２ノズル部材２００は、第２鋸歯状部２３１が第１鋸歯状部１３０に噛み合った状態で第１ノズル部材１００の内側に嵌まり込むのである。第２ノズル部材２００を第１ノズル部材１００に嵌め込む際、第１鋸歯状部１３０と第２鋸歯状部２３１と嵌まり込む位置を適宜選択することで、第１ノズル部材１００と第２ノズル部材２００とで囲まれる空間Ｓの容積を変化させることができる。
なお、第１ノズル部材１００の外周部１２０、第２ノズル部材２００の外周壁２１０は、第１ノズル部材１００と第２ノズル部材２００との組み合わせがスムーズにいくように、ある程度変形するような厚さ寸法に設定されている。
【００２０】
第１ノズル部材１００と第２ノズル部材２００とで囲まれる空間Ｓの容積は、ゴム風船本体５００が飛翔する際に発する音の高低に関係する。前記空間Ｓが大きいほど飛翔する際に発せられる音は低くなり、前記空間Ｓが小さいほど飛翔する際に発せられる音は高くなるのである。
従って、容積変化機構３００で第１ノズル部材１００と第２ノズル部材２００とで囲まれる空間Ｓの容積を変化させることで、飛翔する際に発せられる音を変更することができることになる。
【００２１】
第１ノズル部材１００の凹部１１０に嵌まり込んだゴム風船本体５００の口部５１０の凸脈状部５１１は、第１ノズル部材１００に外嵌される第２ノズル部材２００の外周壁２１０の先端が凹部１１０に被さることにより、凹部１１０と外周壁２１０の先端とで囲まれた部分に押し込められることになる。このため、飛翔ゴム風船のノズル１０００は、ゴム風船本体５００の口部５１０に抜けない状態で取り付けられる。
【００２２】
このように構成された飛翔ゴム風船のノズル１０００は、ゴム風船本体５００に第１ノズル部材１００のみが取り付けられた状態、或いはゴム風船本体５００に第１ノズル本体１００が取り付けられ、その第１ノズル本体１００に第２ノズル本体２００が軽く嵌め込まれた状態、ゴム風船本体５００と第１ノズル部材１００と第２ノズル部際２００とがバラバラの状態のいずれの状態で販売されてもよい。
どの状態で販売されていたとしても、使用者は第１ノズル部材１００と第２ノズル部材２００とで構成される空間Ｓを適宜変化させて自分の好みの高さの音で飛翔するように調整することができる。
【００２３】
この飛翔ゴム風船のノズル１０００が取り付けられたゴム風船本体５００への空気の吹込みは、第２ノズル部材２００の噴射孔となる開口２２１から行われる。
なお、この空気の吹込みは、使用者が飛翔ゴム風船のノズル１０００に直接口を付けて行ってもよいし、専用の空気ポンプや以下の吹込み部材６００を用いてもよい。
【００２４】
この専用の吹込み部材６００は、図５に示すように、小径の略円筒形状のマウスピース部６１０と、このマウスピース部６１０より径大の略円筒形状の連結部６２０と、この連結部６２０と前記マウスピース部６１０とをつなぐ中間部６３０とが一体に形成されたものである。前記連結部６２０は、ゴム風船本体５００に取り付けられる飛翔ゴム風船のノズル１０００を構成する第２ノズル部材２００が挿入される。
また、連結部６２０の内側には、フィルター６４０がセットされている。このフィルター６４０は、少なくとも唾液が通過しないようにするものであって、略円柱形に形成されている。かかるフィルター６４０は、連結部６２０の内側の段差部６２１よって止まっている。
また、このフィルター６４０とマウスピース部６１０との間の中間部６３０の内側には、球状の逆止弁６５０が存在している。この逆止弁６５０は、マウスピース部６１０の内径より大きな直径を有している。
【００２５】
このように構成された吹込み部材６００は、第２ノズル部材２００を連結部６２０に連結した状態で、マウスピース部６１０を口に加えて空気を吹き込むことにより、ゴム風船本体５００に空気を吹き込むことができる。
空気を吹き込む際には、前記逆止弁６５０はフィルター６４０側に押し込まれるが、マウスピース部６１０から口を離すと、ゴム風船本体５００内の空気によりマウスピース部６１０側に押し戻される。この結果、ゴム風船本体５００から空気が漏れないようになる。
この吹込み部材６００から空気が吹き込まれたゴム風船本体５００を離す際には、第２ノズル部材２００の突脈部２１３を押し出すことによって行う。
【００２６】
また、この吹込み部材６００にはフィルター６４０が組み込まれているので、口で空気を吹き込んでも唾液はゴム風船本体５００の内部には吹き込まれることはない。従って、ゴム風船本体５００を飛翔させたとしても、感染症の原因となるウィルスをまき散らすおそれがない。また、ゴム風船本体５００に空気を吹き込んでいる最中、または飛翔させるために保持している最中になんらかの原因でゴム風船本体５００を破裂させたとしても、感染症の原因となるウィルスをまき散らすおそれがない。
【００２７】
なお、上述した吹込み部材６００は一例であって、これとは構造が異なる吹込み部材を使用してもよいし、使用しなくてもよいことはいうまでもない。
【００２８】
なお、上述した実施の形態では、容積変化機構３００は、第１ノズル部材１００の第１鋸歯状部１３０と、第２ノズル部材２００の第２鋸歯状部２３１とから構成されるとしたが、本発明がこれに限定されるものではない。
例えば、第１ノズル部材１００の第１鋸歯状部１３０の代わりに雄ねじ部を、第２ノズル部材２００の第２鋸歯状部２３１の代わりに前記雄ねじ部に対応した雌ねじ部をそれぞれ設け、両ねじ部の螺合状態を変えることで前記空間Ｓの容積を変化させるようにすることも可能である。
【符号の説明】
【００２９】
１０００  飛翔ゴム風船のノズル
１００    第１ノズル部材
１３０    第１鋸歯状部
１１０    凹部
２００    第２ノズル部材
２３１    第２鋸歯状部
３００    容積変化機構
５００    ゴム風船本体
５１０    口部
５１１    凸脈状部
【図１】
0006355674.tif 000002
【図２】
0006355674.tif 000003
【図３】
0006355674.tif 000004
【図４】
0006355674.tif 000005
【図５】
0006355674.tif 000006